(57)【要約】  メディアゲートウェイに終端接続を確立するよう指示する方法が本発明の各実施形態において開示される。この方法は、メディアゲートウェイコントローラ（ＭＧＣ）により、様々なタイプの終端についてのメディアゲートウェイ（ＭＧ）の接続能力に関する情報を獲得することと、発呼接続が要求されるときに、ＭＧＣからＭＧに、様々なタイプの終端についてのＭＧの接続能力に関する情報にしたがい、ＭＧに接続能力があるという終端接続情報を搬送する接続指示を送信することとを備える。本発明の実施形態は、発呼接続プロセスの円滑な進行を確保し、サービス品質を大幅に向上させるように、ＭＧが終端接続操作を効果的に実施可能になるように保証することができる。【選択図】      図４
2009542133.tif 000002
【特許請求の範囲】
【請求項１】
メディアゲートウェイ（ＭＧ）に終端接続を実行するよう指示する方法であって、
メディアゲートウェイコントローラ（ＭＧＣ）が様々なタイプの終端についての前記ＭＧの接続能力に関する情報を獲得することと、
前記ＭＧが前記ＭＧＣにより終端接続を実行するよう指示されるときに、様々なタイプの終端についての前記ＭＧの接続能力に関する前記情報にしたがって、前記ＭＧＣから前記ＭＧに接続指示を送信することと、
を備える方法。
【請求項２】
前記ＭＧＣが様々なタイプの終端についての前記ＭＧの接続能力に関する前記情報を獲得することは、前記ＭＧＣにおいて事前に様々なタイプの終端についての前記ＭＧの接続能力に関する前記情報を設定することと、前記ＭＧＣ自体において設定されている様々なタイプの終端についての前記ＭＧの接続能力に関する前記情報を前記ＭＧＣによって獲得することと、を備える請求項１に記載の方法。
【請求項３】
前記ＭＧにおいて様々なタイプの終端についての前記ＭＧの接続能力に関する前記情報を設定することをさらに備え、
前記ＭＧＣが様々なタイプの終端についての前記ＭＧの接続能力に関する前記情報を獲得することは、前記ＭＧＣから前記ＭＧに、様々なタイプの終端についての前記ＭＧの接続能力に関する前記情報を獲得するコマンドを送信することと、前記ＭＧから前記ＭＧＣに様々なタイプの終端についての接続能力に関する前記設定情報を送信することと、前記設定情報を前記ＭＧＣに格納することと、を備える請求項１に記載の方法。
【請求項４】
終端接続能力を獲得するための前記コマンドは監査コマンドであり、
前記ＭＧから前記ＭＧＣに様々なタイプの終端についての接続能力に関する前記設定情報を送信する前記ステップは、前記監査コマンドに対する応答によって、前記ＭＧから前記ＭＧＣに、様々なタイプの終端についての接続能力に関する前記情報を送信することを備える請求項３に記載の方法。
【請求項５】
前記監査コマンドは、前記ＭＧによってサポートされる前記終端接続構成に関する情報を監査するためのパラメータＳＴＣを備え、
前記ＭＧから前記ＭＧＣに前記ＭＧ自体において設定されている様々なタイプの終端についての接続能力に関する前記情報を前記監査コマンドに対する前記応答に入れて送信する前記ステップは、前記ＭＧによってサポートされる終端接続構成に関する前記情報を前記パラメータＳＴＣの値として前記監査コマンドに対する前記応答に入れて搬送することにより、前記ＭＧから前記ＭＧＣに、前記ＭＧによってサポートされる前記終端接続構成に関する前記情報を送信することを備える、請求項４に記載の方法。
【請求項６】
前記監査コマンドは、前記ＭＧによってサポートされない前記終端接続構成に関する情報を監査するためのパラメータＮＳＴＣを備え、
前記ＭＧから前記ＭＧＣに前記ＭＧ自体において設定されている様々なタイプの終端についての接続能力に関する前記情報を前記監査コマンドに対する前記応答に入れて送信する前記ステップは、前記ＭＧによってサポートされない終端接続構成に関する前記情報を前記パラメータＮＳＴＣの値として前記監査コマンドに対する前記応答に入れて搬送することにより、前記ＭＧから前記ＭＧＣに、前記ＭＧによってサポートされない終端接続構成に関する前記情報を送信することを備える、請求項４に記載の方法。
【請求項７】
様々なタイプの終端についての前記ＭＧの接続能力に関する前記情報は、前記ＭＧによってサポートされる終端接続構成に関する情報と前記ＭＧによってサポートされない終端接続構成に関する情報のうちの少なくとも１つを備える請求項１から６のいずれか１項に記載の方法。
【請求項８】
前記終端接続構成に関する情報は、
任意の２つの終端タイプおよび前記２つの終端タイプの終端間の接続方向と、
複数の当事者が関与する呼セッションシナリオにおける任意の終端タイプおよび前記終端タイプの終端の最大数
のうちの少なくとも１つを備える請求項７に記載の方法。
【請求項９】
前記終端タイプは、様々なリソースタイプを表す様々な終端タイプおよび／またはあるリソースタイプにおける様々な特定のリソースに対応する様々な終端タイプを備える、請求項８に記載の方法。
【請求項１０】
前記終端タイプは前記ＭＧＣと前記ＭＧの間で事前に規定されている、請求項８に記載の方法。
【請求項１１】
前記終端接続構成に関する情報は、
コンファレンスシナリオでの終端タイプおよび前記終端タイプの数と、
マルチキャストシナリオでの発信元終端タイプ、宛先終端タイプおよび前記宛先終端タイプの最大数と、
ジェネラルシナリオでの第１の終端タイプ、第２の終端タイプ、および前記第１の終端タイプと前記第２の終端タイプの間の接続方向、
という３つの表現形式のうちの少なくとも１つを備える、請求項８に記載の方法。
【請求項１２】
前記終端接続構成に関する情報は、異なる終端インスタンスを区別するためのインスタンス識別子をさらに備える請求項８に記載の方法。
【請求項１３】
前記終端接続構成に関する情報は、
ジェネラルシナリオでの第１の終端タイプ、第１の終端インスタンス識別子、第２の終端タイプ、第２の終端インスタンス識別子、および前記第１の終端タイプと前記第２の終端タイプの間の接続方向と、
マルチキャストシナリオでの終端タイプ、終端インスタンス識別子および前記終端タイプの最大数と、
ジェネラルシナリオでの発信元終端タイプ、発信元終端インスタンス識別子、宛先終端タイプ、宛先終端インスタンス識別子、および前記宛先終端タイプの最大数、
という３つの表現形式のうちの少なくとも１つを備える、請求項１２に記載の方法。
【請求項１４】
前記終端タイプは、全部または一部がワイルドカードを用いて表わされる請求項８に記載の方法。
【請求項１５】
メディアゲートウェイコントローラ（ＭＧＣ）と、メディアゲートウェイ（ＭＧ）とを備える、メディアゲートウェイに終端接続を実行するよう指示するシステムであって、
前記ＭＧＣは、様々なタイプの終端についての前記ＭＧの接続能力に関する情報を獲得し、前記ＭＧが前記ＭＧＣにより終端接続を実行するよう指示されるときに、様々なタイプの終端についての前記ＭＧの接続能力に関する前記情報にしたがって前記ＭＧに接続指示を送信するように適合されており、
前記ＭＧは、前記ＭＧＣから送信される前記接続指示を受信するように適合されている、システム。
【請求項１６】
前記ＭＧＣはさらに様々なタイプの終端についての前記ＭＧの接続能力に関する前記情報を格納するように適合されている、請求項１５に記載のシステム。
【請求項１７】
前記ＭＧＣはさらに前記ＭＧに終端接続能力を獲得するコマンドを送信するように適合されており、
前記ＭＧはさらに前記ＭＧＣから前記コマンドを受信し、様々なタイプの終端についての前記接続能力に関する前記格納情報を前記ＭＧＣに送信するように適合されている、請求項１５に記載のシステム。
【請求項１８】
終端接続能力獲得ユニットと終端接続決定ユニットとを備えるメディアゲートウェイコントローラ（ＭＧＣ）であって、
前記終端接続能力獲得ユニットは、様々なタイプの終端についてのメディアゲートウェイ（ＭＧ）の接続能力に関する情報を獲得し、前記情報を前記終端接続決定ユニットに送信するように適合されており、
前記終端接続決定ユニットは、前記ＭＧが前記ＭＧＣにより終端接続を実行するよう指示されるときに、様々なタイプの終端についての前記ＭＧの接続能力に関する前記情報にしたがって、前記ＭＧに接続能力があるという終端接続情報を備える接続指示を、前記ＭＧに送信するように適合されている、ＭＧＣ。
【請求項１９】
前記ＭＧＣは格納ユニットを備え、
前記格納ユニットは、様々なタイプの終端についての前記ＭＧの接続能力に関する事前設定情報を格納し、前記情報を前記終端接続決定ユニットに提供するように適合されている、請求項１８に記載のＭＧＣ。
【請求項２０】
前記終端接続能力獲得ユニットは、終端接続能力要求送信サブユニットと終端接続能力応答受信サブユニットとを備え、
前記終端接続能力要求送信サブユニットは、前記ＭＧに終端接続能力を獲得するコマンドを送信するように適合されており、
前記終端接続能力応答受信サブユニットは、前記ＭＧによって返される様々なタイプの終端についての前記ＭＧの接続能力に関する前記情報を受信するように適合されている、請求項１８に記載のＭＧＣ。
【請求項２１】
格納ユニットをさらに備え、前記格納ユニットは、前記終端接続能力獲得ユニットによって受信される様々なタイプの終端についての前記ＭＧの接続能力に関する前記情報を格納し、前記情報を前記終端接続決定ユニットに提供するように適合されている、請求項２０に記載のＭＧＣ。
【請求項２２】
前記終端接続能力に関する前記情報は、様々な終端インスタンスを区別するためのインスタンス識別子をさらに備え、
前記ＭＧＣは、終端接続構成情報解決ユニットをさらに備え、
前記終端接続構成情報解決ユニットは、前記インスタンス識別子にしたがって、様々なタイプの終端についての前記ＭＧの接続能力に関する前記情報からの様々な終端インスタンスに対応する終端接続構成に関する情報を解決し、終端接続構成に関する前記情報を前記終端接続決定ユニットに送信するように適合されている、請求項１９、２０または２１のいずれか１項に記載のＭＧＣ。
【請求項２３】
終端接続能力要求受信ユニットと、終端接続能力監査ユニットと、終端接続能力応答送信ユニットとを備えるメディアゲートウェイ（ＭＧ）であって、
前記終端接続能力要求受信ユニットは、メディアゲートウェイコントローラ（ＭＧＣ）によって送られる終端接続能力要求を受信するように適合されており、
前記終端接続能力監査ユニットは、前記終端接続能力要求にしたがって、対応する終端の接続能力を獲得し、終端接続構成に関する情報を搬送する終端接続能力応答を生成するように適合されており、
前記終端接続能力応答送信ユニットは、前記ＭＧＣに前記終端接続能力監査ユニットによって生成される前記終端接続能力応答を返すように適合されている、ＭＧ。
【発明の詳細な説明】
【技術分野】
【０００１】
本出願は、２００６年６月２６日付で中国特許庁に出願した「メディアゲートウェイに終端接続の確立を指示する方法（Method for Instructing Media Gateway to Set Up Termination Connection）」という名称の中国特許出願第２００６１００９２６１５．７号と、２００６年１１月１０日付で中国特許庁に出願した「終端構成のための方法とシステム（Method and System for Termination Configuration）」という名称の中国特許出願第２００６１０１４７１９５．８号と、２００７年５月２９日付で中国特許庁に出願した「終端接続能力を監査するための方法、システムおよび装置（Method, System and Device for Auditing Termination Connection Capability）」という名称の中国特許出願第２００７１０１０７３７２．４号の優先権を主張し、これらの内容全文をあらゆる目的で参照により本明細書に組み込むものである。
【０００２】
本発明はネットワーク通信技術に関し、より詳細には、メディアゲートウェイに終端接続を確立するよう指示する方法、システムおよび装置に関する。
【背景技術】
【０００３】
現在のところはソフトスイッチングアーキテクチャが広く適用されている。ソフトスイッチングアーキテクチャは搬送機能と制御機能とを分離する。搬送機能はメディアゲートウェイ（ＭＧ）によって実施される。すなわち、ＭＧは主にアクセス適応機能、他のネットワークと相互作用するメディアストリーム変換機能を提供し、特定のメディアリソースを提供する。一方、制御機能はメディアゲートウェイコントローラ（ＭＧＣ）によって実現される。すなわち、ＭＧＣは、発呼（calling）プロセスの制御を実現するために、シグナリングを用いてＭＧを制御し、様々なサービス操作を実行する。
【０００４】
ＭＧは呼を実施するのに必要なリソースを備える。ソフトスイッチングアーキテクチャでは、リソースが終端（ターミネーション）として抽象化される。したがって、リソースの使用法にしたがって、ＭＧにおける終端は、時分割多元（ＴＤＭ）チャネルなどのように半永久的に存在するリソースとすることも、リアルタイムトランスポートプロトコル（ＲＴＰ）ストリームなどのように一時的に適用され使用後に解除されるリソースとすることもできる。ソフトスイッチングアーキテクチャでは、様々な終端の組み合わせがコンテキストとして抽象化される。すなわち、コンテキストは終端間の位相幾何学的関係を含む。よって、ある呼についてＭＧによって実行される各呼接続操作は、事実上、この呼に対応するコンテキスト内の関連する終端を接続することである。例えば、図１を参照すると、ＭＧ上で、発呼側ａと着呼側ｂのために呼接続が確立されるとき、発呼側ａによって使用されるリソースすなわち終端にはＴＤＭチャネルａおよびＲＴＰストリームａが含まれ、着呼側ｂによって使用されるリソースすなわち終端にはＴＤＭチャネルｂおよびＲＴＰストリームｂが含まれる。したがって、ＭＧは、呼接続を確立するとき、発呼側ａに対応するコンテキストａ内の終端ＴＤＭチャネルａと終端ＲＴＰストリームａを接続し、着呼側ｂに対応するコンテキストｂ内の終端ＴＤＭチャネルｂと終端ＲＴＰストリームｂを接続しなければならない。
【０００５】
明らかなように、ＭＧが呼に対応するコンテキスト内の終端接続を確立するプロセスは呼接続プロセスにおける重要なプロセスである。現在、ＭＧはＭＧＣの制御下で終端接続プロセスを実行している。
【０００６】
図２は、従来技術においてＭＧに終端接続を確立するよう指示するプロセスを示す流れ図である。図２を参照すると、従来技術において、ＭＧＣがＭＧに終端接続を確立するよう指示するプロセスは以下の各ステップを含む。
【０００７】
ステップ２０１：呼接続が要求されると、ＭＧＣは、接続される必要のある終端に関する情報を、接続指示に入れて搬送することによって、ＭＧに送信する。
【０００８】
ここで図３を参照すると、例えばＭＧＣは、接続される必要のある終端に関する情報として、発呼側ａによって使用される終端ＴＤＭチャネルａおよび着呼側ｂによって使用される終端ＴＤＭチャネルｂを接続指示に入れて搬送し、これをＭＧに送信する。
【０００９】
ステップ２０２：ＭＧは、接続される必要のある終端に関する情報を搬送する接続指示を受信した後、ＭＧ自体に接続指示において指示されている終端を接続する能力があるかどうか判定する。そうである場合ステップ２０３が実行され、そうでない場合ステップ２０４が実行される。
【００１０】
ここで、様々なタイプの終端について、ＭＧは、これらの終端のうちのあるタイプのものについては接続能力があり、別のタイプのものについては接続能力がない。例えば、図３を参照すると、ＭＧは、ＴＤＭチャネルを表す終端とＲＴＰストリームを表す終端とを接続する接続能力はあるが、関連するスイッチ間論理を欠いているために２つのＴＤＭチャネルを表す終端を接続する能力はない。このとき、たとえＭＧが、ＭＧＣから送信された終端ＴＤＭチャネルａとＴＤＭチャネルｂとを接続する接続指示を受信したとしても、この接続操作を実施することはできない。
【００１１】
ステップ２０３：ＭＧは、現在の呼に対応するコンテキスト内の終端を接続し、現在の手順が終了する。
【００１２】
ステップ２０４：ＭＧは、ＭＧＣに失敗応答を送信する。
【００１３】
以上から分かるように、ＭＧは様々なリソースを表す多数の終端を持つが、ＭＧ自体は、任意の２つの終端を接続する能力がないこともある。しかし、従来技術では、ＭＧＣがＭＧに２つの特定の終端を接続するよう指示するとき、ＭＧがこれら２つの特定の終端を接続する能力を持つかどうか、考慮されない。したがって、ＭＧは、これら２つの特定の終端を接続する能力を欠くために、接続操作を実施し損ない、呼接続が失敗し、サービスの品質が大幅に低下する結果になりがちである。
【発明の概要】
【００１４】
したがって、本発明の主目的は、ＭＧが終端接続操作を効果的に実施することができ、呼接続プロセスが円滑に行われるように、ＭＧに終端接続を実行するよう指示する方法を提供することである。
【００１５】
本発明の別の主目的は、ＭＧが終端接続操作を効果的に実施することができ、呼接続プロセスが円滑に行われるように、ＭＧに終端接続を実行するよう指示するシステムおよび装置を提供することである。
【００１６】
上記の目的を達成するために、本発明の実施形態の技術的解決法を以下のように実施する。
【００１７】
メディアゲートウェイ（ＭＧ）に終端接続を実行するよう指示する方法が、
メディアゲートウェイコントローラ（ＭＧＣ）によって、様々なタイプの終端についてのＭＧの接続能力に関する情報を獲得することと、
ＭＧＣがＭＧに終端接続を実行するよう指示するときに、様々なタイプの終端についてのＭＧの接続能力に関する情報にしたがってＭＧＣからＭＧに接続指示を送信することと
を含む。
【００１８】
メディアゲートウェイに終端接続を実行するよう指示するシステムがメディアゲートウェイコントローラ（ＭＧＣ）と、メディアゲートウェイ（ＭＧ）とを含み、
ＭＧＣは、様々なタイプの終端についてのＭＧの接続能力に関する情報を獲得し、ＭＧＣがＭＧに終端接続を実行するよう指示するときに、様々なタイプの終端についてのＭＧの接続能力に関する情報にしたがって、ＭＧが接続能力を持つという終端接続情報を含む接続指示をＭＧに送信するように適合されており、
ＭＧは、ＭＧＣから送信される接続指示を受け取るように適合されている。
【００１９】
メディアゲートウェイコントローラ（ＭＧＣ）が、終端接続能力獲得ユニットと、終端接続決定ユニットとを含み、
終端接続能力獲得ユニットが、様々なタイプの終端についてのメディアゲートウェイ（ＭＧ）の接続能力に関する情報を獲得し、この情報を接続決定ユニットに送信するように適合されており、
終端接続決定ユニットが、ＭＧＣがＭＧに終端接続を実行するよう指示するときに、様々なタイプの終端についてのＭＧの接続能力に関する情報にしたがい、ＭＧに接続能力があるという終端接続情報を含む接続指示をＭＧに送信するように適合されている。
【００２０】
メディアゲートウェイ（ＭＧ）が、終端接続能力監査要求受信ユニットと、終端接続能力監査ユニットと、終端接続能力応答送信ユニットとを含み、
終端接続能力監査要求受信ユニットが、メディアゲートウェイコントローラ（ＭＧＣ）から送信される終端接続能力監査要求を受信するように適合されており、
終端接続能力監査ユニットが、終端接続能力要求にしたがって対応する終端の接続能力を獲得し、様々な終端インスタンスを区別するためのインスタンス識別子を含む終端接続構成記述に関する情報を搬送する終端接続能力監査応答を生成するように適合されており、
終端接続能力応答送信ユニットが、終端接続能力監査ユニットによって生成される終端接続能力監査応答をメディアゲートウェイコントローラに返すように適合されている。
【００２１】
明らかなように、本発明の各実施形態においてＭＧＣは、様々なタイプの終端についてのＭＧの接続能力に関する情報を獲得することができ、ＭＧＣが２つの終端を接続するよう指示するときに、様々なタイプの終端についてのＭＧの接続能力に関する獲得情報にしたがってＭＧに接続指示を送信する。よって、ＭＧが、発呼接続プロセスの円滑な進行を確保し、サービス品質を大幅に向上させるように、終端接続操作を効果的に実施することが保証される。
【図面の簡単な説明】
【００２２】
【図１】図１は、ＭＧが終端接続を実施することを示す概略図である。
【図２】図２は、従来技術においてＭＧに終端接続を確立するよう指示することの流れ図である。
【図３】図３は、ＭＧがＴＤＭチャネルを表す２つの終端間で接続を実施することができないことを示す概略図である。
【図４】図４は、本発明の第１の実施形態による、メディアゲートウェイに終端接続を実施するよう指示する方法を詳細に示す流れ図である。
【図５】図５は、本発明の一実施形態による、ＭＧが終端接続を実施することを示す概略図である。
【図６】図６は、本発明の第１の実施形態による、ＭＧに終端接続を実施するよう指示するシステムを詳細に示す構造図である。
【図７】図７は、本発明の第１の実施形態によるメディアゲートウェイコントローラを詳細に示す構造図である。
【図８】図８は、本発明の第２の実施形態による、ＭＧに終端接続を実施するよう指示する方法を詳細に示す流れ図である。
【図９】図９は、本発明の第２の実施形態による、ＭＧに終端接続を実施するよう指示するシステムを詳細に示す構造図である。
【図１０】図１０は、本発明の第２の実施形態によるメディアゲートウェイコントローラを詳細に示す構造図である。
【図１１】図１１は、本発明の第２の実施形態によるメディアゲートウェイを詳細に示す構造図である。
【図１２】図１２は、本発明の第３の実施形態による、ＭＧに終端接続を実施するよう指示する方法を詳細に示す流れ図である。
【図１３】図１３は、本発明の第４の実施形態による、ＭＧに終端接続を実施するよう指示する方法を詳細に示す流れ図である。
【図１４】図１４は、本発明の第４の実施形態によるメディアゲートウェイコントローラを詳細に示す構造図である。
【図１５】図１５は、本発明の第４の実施形態によるメディアゲートウェイを詳細に示す構造図である。
【発明を実施するための形態】
【００２３】
従来技術では、ＭＧが様々な終端（ターミネーション）に接続するよう指示されるときにＭＧＣが様々な終端についてのＭＧの接続能力を知らないために、ＭＧが終端接続操作を実行し損なう傾向があり、よって、呼（call）接続の失敗につながる。この不利益を考慮して、本発明の実施形態ではＭＧに終端接続を確立するよう指示する方法を提供する。この方法の要点は以下のとおりである。ＭＧＣが、様々なタイプの終端についてのＭＧの接続能力に関する情報（information on an MG’s connection capability for various types of terminations）、を獲得する。呼接続が要求され、ＭＧＣが２つの終端を接続するよう指示するときに、ＭＧＣは、様々なタイプの終端についてのＭＧの接続能力に関する情報にしたがってＭＧに接続指示を送信し、様々なタイプの終端についてのＭＧの接続能力に関する情報は、ＭＧＣにおいて事前設定されていてもよく、ＭＧにおいて構成され、ＭＧからＭＧＣに送信されてもよい。
【００２４】
本発明の目的、技術的解決法および利点をより明確にするために、図面および具体的実施形態を参照しながら本発明の各実施形態のさらに詳細な説明を行う。
【００２５】
実施形態１
この実施形態では、本発明の一実施形態の実現方法を、様々な終端についてのＭＧの接続能力に関する情報をＭＧＣにおいて事前に構成する例を用いて説明する。
【００２６】
図４は本発明の第１の実施形態の流れ図である。図４を参照すると、本発明のこの実施形態では、ＭＧＣがＭＧに終端接続を確立するよう指示するプロセスは以下の各ステップを含む。
【００２７】
ステップ４０１：ＭＧとＭＧＣとの間で事前に終端タイプが規定される。
【００２８】
ここで、終端タイプには、ＲＴＰストリームを表す終端タイプとＴＤＭチャネルを表す終端タイプといった、異なるリソースタイプを表す異なる終端タイプ、および／または、１つのリソースタイプの異なる特定のリソースに対応する異なる終端タイプ、例えばＲＴＰストリームタイプで、１つの終端タイプが符号化モード１で符号化されたＲＴＰストリームに対応し、別の終端タイプが符号化モード２で符号化されたＲＴＰストリームに対応するものや、さらにＲＴＰストリームリソースタイプで、１つの終端タイプが正規の聴取のための特定のＲＴＰストリームに対応し、別の終端タイプが正規でない聴取のための一般のＲＴＰストリームに対応するものなどが含まれ得る。
【００２９】
ステップ４０２：様々なタイプの終端についてのＭＧの接続能力に関する情報が、ＭＧの有する終端接続能力と終端タイプの両方にしたがって、ＭＧＣにおいて事前に設定される。
【００３０】
ここで、様々なタイプの終端についてのＭＧの接続能力に関する設定情報には、ＭＧがサポートする終端接続構成に関する情報および／またはＭＧがサポートしない終端接続構成に関する情報が含まれていてもよく、ＭＧがサポートする終端接続構成に関する情報には、ＭＧがどの接続方向でどの２つの終端タイプについて接続操作を実行することができるかが記録され、ＭＧがサポートしない終端接続構成に関する情報には、ＭＧがどの接続方向でどの２つの終端タイプについて接続操作を実行することができないかが記録される。
【００３１】
例えば、ＭＧがサポートする終端接続構成に関する情報とＭＧがサポートしない終端接続構成に関する情報の両方が、「終端タイプＡ，終端タイプＢ，終端タイプＡと終端タイプＢの間の方向」という三つ組の形で設定されてもよく、終端タイプＡと終端タイプＢの間の方向は双方向とすることも一方向とすることもできる。ＭＧがサポートする終端接続構成に関する情報において、終端タイプＡと終端タイプＢの間の方向が双方向である場合、三つ組はＭＧにタイプＡの終端をタイプＢの終端に接続し、タイプＢの終端をタイプＡの終端に接続する接続能力があることを示し、終端タイプＡと終端タイプＢの間の方向が一方向である場合、三つ組はＭＧにタイプＡの終端をタイプＢの終端に接続する接続能力があることを示す。ＭＧがサポートしない終端接続構成に関する情報において、終端タイプＡと終端タイプＢの間の方向が双方向である場合、三つ組はＭＧにタイプＡの終端をタイプＢの終端に接続する接続能力も、タイプＢの終端をタイプＡの終端に接続する接続能力もないことを示し、終端タイプＡと終端タイプＢの間の方向が一方向である場合、三つ組はＭＧにタイプＡの終端をタイプＢの終端に接続する接続能力がないことを示す。
【００３２】
加えて、三つ組において、２つの終端タイプ間の方向をデフォルトとすることもできる。２つの終端タイプ間の方向がデフォルトである場合、これはこの２つの終端タイプ間の方向が双方向であることを示す。例えば、ＭＧがサポートする終端接続構成に関する情報は、「終端タイプＡ、終端タイプＢ」を含み、これはＭＧにタイプＡの終端をタイプＢの終端に接続し、タイプＢの終端をタイプＡの終端に接続する接続能力があることを示す。
【００３３】
終端接続構成のうちのどの１つも、ＭＧがサポートする終端接続構成に関する情報とＭＧがサポートしない終端接続構成に関する情報の両方に存在するのではなく、これらのうちの一方にだけ存在し得ることに留意すべきである。
【００３４】
ステップ４０３：発呼接続が要求されると、ＭＧＣは、ＭＧＣ自体で設定されている様々なタイプの終端についてのＭＧの接続能力に関する情報にしたがって、ＭＧに接続能力のある終端に関する情報を接続指示に入れてＭＧに送信する。
【００３５】
例えば、ＭＧＣにおいて設定されているＭＧがサポートする終端接続構成に関する情報は、「ＴＤＭチャネルＲＴＰストリーム，ＲＴＰストリーム，双方向」の三つ組を含み、ＭＧＣにおいて設定されているＭＧがサポートしない終端接続構成に関する情報は、「ＴＤＭチャネル，ＴＤＭチャネル，双方向」の三つ組を含む。よって、図５を参照すると、ＭＧＣが発呼側ａに対応する終端ＴＤＭチャネルａを着呼側ｂに対応する終端ＴＤＭチャネルｂと接続する必要があるとき、ＭＧがサポートする終端接続に関する情報とＭＧがサポートしない終端接続に関する情報における三つ組から、ＭＧにはＴＤＭチャネルを表す終端とＲＴＰストリームを表す終端とを接続する接続能力はあるが、ＴＤＭチャネルを表す２つの終端を接続する接続能力はないことが分かる。したがって、ＭＧＣはＭＧに、コンテキストａ内の終端ＴＤＭチャネルａと終端ＲＴＰストリームａとを接続し、コンテキストｂ内の終端ＴＤＭチャネルｂと終端ＲＴＰストリームｂとを接続し、次いで、発呼側ａと着呼側ｂの間の呼接続を実現するためにＲＴＰストリームａとＲＴＰストリームｂとを接続するよう指示する必要がある。
【００３６】
具体的には、接続指示に入れて搬送される終端接続情報は、接続されるべき終端が同じコンテキスト内に存在するかどうか、および接続されるべき終端間の位相幾何学的（トポロジカル）関係を含む。接続指示内の終端接続情報は、ＭＧに接続能力があるという終端接続情報である。
【００３７】
ステップ４０４：ＭＧは、受信された接続指示内の終端情報にしたがって、対応する終端を接続する。
【００３８】
ここで、図５を参照すると、受信された接続指示内の終端接続情報にしたがい、ＭＧは、コンテキストａ内の終端ＴＤＭチャネルａと終端ＲＴＰストリームａとを接続し、コンテキストｂ内の終端ＴＤＭチャネルｂと終端ＲＴＰストリームｂとを接続し、次いで、発呼側ａと着呼側ｂの間の呼接続を実現するために、ＲＴＰストリームａとＲＴＰストリームｂとを接続する。
【００３９】
また、本実施形態は、上記方法の手順を実施するのに使用することのできる、メディアゲートウェイに終端接続を確立するよう指示するシステムも提供する。図６は、ＭＧＣとＭＧとを含むシステムの詳細な構造図である。
【００４０】
このシステムにおいて、ＭＧＣは、様々なタイプの終端についてのＭＧの接続能力に関する事前設定情報を格納し、ＭＧに接続能力があるという終端情報を接続指示に入れてＭＧに送信するように適合されている。
【００４１】
ＭＧは、ＭＧＣから送られる接続指示を受信するように適合されている。
【００４２】
上記システム内のＭＧＣは図７の構造を用いてもよい。具体的には、図７に示すように、ＭＧＣは、終端接続能力獲得ユニットと、終端接続決定ユニットと、格納ユニットとを含む。
【００４３】
ＭＧＣ内の格納ユニットは、様々なタイプの終端についてのＭＧの接続能力に関する事前設定情報を格納し、この情報を終端接続決定ユニットに提供するように適合されており、様々なタイプの終端についてのＭＧの接続能力に関する設定情報には、ＭＧがサポートする終端接続構成に関する情報および／またはＭＧがサポートしない終端接続構成に関する情報が含まれ得る。具体的には、終端接続構成に関する情報は、「終端タイプＡ，終端タイプＢ，終端タイプＡと終端タイプＢの間の方向」という三つ組の形で設定されていてもよく、終端タイプＡと終端タイプＢの間の方向は、双方向とすることも一方向とすることもできる。
【００４４】
終端接続能力獲得ユニットは、格納ユニットから様々なタイプの終端についてのＭＧの接続能力に関する情報を獲得し、この情報を終端接続決定ユニットに提供するように適合されている。
【００４５】
終端接続決定ユニットは、呼接続が要求され、ＭＧが終端を接続するように指示されるときに、終端接続能力獲得ユニットによって獲得される様々なタイプの終端についてのＭＧの接続能力に関する情報にしたがって、ＭＧに接続指示を送信するように適合されている。
【００４６】
実施形態２
この実施形態では、様々な終端についてのＭＧの接続能力に関する情報をＭＧにおいて事前に構成し、この情報をＭＧＣに送信する例を用いて、本発明のこの実施形態の実現方法を説明する。
【００４７】
図８は本発明の第２の実施形態を実施するための流れ図である。図８を参照すると、本発明のこの実施形態では、ＭＧＣがＭＧに終端接続を確立するよう指示するプロセスは以下の各ステップを含む。
【００４８】
ステップ８０１の記述はステップ４０１の記述と全く同一である。
【００４９】
ステップ８０２のプロセスは、ステップ４０２の「ＭＧＣにおいて様々なタイプの終端についてのＭＧの接続能力に関する情報を設定する」が、ステップ８０２の「ＭＧにおいて、様々なタイプの終端についてのＭＧの接続能力に関する情報を設定する」に変更されることを除いて、他の記述はステップ４０２のプロセスと同一である。
【００５０】
ステップ８０３：ＭＧＣがＭＧにＭＧの終端接続能力についての監査コマンドを送信する。
【００５１】
ここで、監査コマンドは、ＭＧがサポートする終端接続構成に関する情報を監査するためのパラメータＳＴＣおよび／またはＭＧがサポートしない終端接続構成に関する情報を監査するためのパラメータＮＳＴＣを含む。
【００５２】
ステップ８０４：監査コマンドを受信した後、ＭＧは、監査コマンドに含まれるチェックされるパラメータにしたがって、ＭＧ自体で設定されている様々なタイプの終端についての接続能力に関する情報を、監査コマンドへの応答に入れてＭＧＣに送信する。
【００５３】
このステップの実現方法は、監査コマンドを受信した後、ＭＧが、監査コマンドへの応答に、ＭＧがサポートする終端接続構成に関する情報とＭＧがサポートしない終端接続構成に関する情報とを、それぞれ、チェックされるパラメータＳＴＣとＮＳＴＣの値として入れ、この情報をＭＧＣに送信することを含んでいてもよい。例えば、ＭＧは、監査コマンドへの応答に、ＳＴＣの値としての「ＲＴＰストリーム，ＲＴＰストリーム，双方向」とＮＳＴＣの値としての「ＴＤＭチャネル，ＴＤＭチャネル，双方向」を入れ、これをＭＧＣに送信する。
【００５４】
加えて、本発明のこの実施形態では、ＭＧは、終端接続構成に関する明確な情報を、ＭＧがサポートする終端接続構成に関する情報またはＭＧがサポートしない終端接続構成に関する情報だけに組み込んでもよい。明確な内容のない終端接続構成に関する情報について、ＭＧＣが監査コマンド内のＳＴＣまたはＮＳＴＣパラメータによってこれをチェックする場合、ＭＧは対応するパラメータをヌルとして設定し、これを監査コマンドへの応答に入れてＭＧＣに送信する。
【００５５】
ステップ８０５：ＭＧＣは、受信された監査コマンドに対する応答から様々なタイプの終端についてのＭＧの接続能力に関する情報を獲得する。
【００５６】
ここで、ＭＧＣは、パラメータＳＴＣおよびＮＳＴＣの値にしたがって、受信された監査コマンドに対する応答から、ＭＧがサポートする終端接続構成に関する情報とＭＧがサポートしない終端接続構成に関する情報を判断する。例えば、監査コマンドに対する応答内のＳＴＣの値「ＴＤＭチャネル，ＲＴＰストリーム，双方向」とＮＳＴＣの値「ＴＤＭチャネル，ＴＤＭチャネル，双方向」とから、ＭＧＣは、ＭＧに、ＴＤＭチャネルを表す終端とＲＴＰストリームを表す終端とを接続する接続能力はあるが、ＴＤＭチャネルを表す２つの終端を接続する接続能力はないことを知る。
【００５７】
ステップ８０６：呼接続が要求されると、ＭＧＣは、様々なタイプの終端についてのＭＧの接続能力に関する獲得情報にしたがって、ＭＧに接続指示を送信する。
【００５８】
ここで、例えば、ＭＧＣは、ＭＧにはＴＤＭチャネルを表す終端とＲＴＰストリームを表す終端とを接続する接続能力はあるが、ＴＤＭチャネルを表す２つの終端を接続する接続能力はないことを知る。したがって、ＭＧＣは、ＭＧに、コンテキストａ内の終端ＴＤＭチャネルａと終端ＲＴＰストリームａとを接続し、コンテキストｂ内の終端ＴＤＭチャネルｂと終端ＲＴＰストリームｂとを接続し、次いで、発呼側ａと着呼側ｂの間の呼接続を実現するためにＲＴＰストリームａとＲＴＰストリームｂとを接続するように指示する必要がある。
【００５９】
ステップ８０７の記述はステップ４０４の記述と全く同一である。
【００６０】
上記ステップ８０３〜８０５において、様々なタイプの終端についてのＭＧの接続能力に関する情報を獲得するプロセスは、呼接続が要求される都度実行されてもよく、定期的に実行されてもよく、接続能力に関する獲得情報は格納される。ステップ８０６で、ＭＧＣは、接続能力に関する格納情報にしたがって接続指示を送信する。
【００６１】
上記図８に示すプロセスにおいて、ＭＧＣは、ＭＧＣとＭＧとの間で監査コマンドと監査コマンドへの応答とを結びつけることにより（by interfacing）、様々な終端についてのＭＧの接続能力に関する情報を獲得し得る。本発明の実施形態の実際的な実現方法では、ＭＧＣは、様々な終端についてのＭＧの接続能力に関する情報を、ＭＧＣとＭＧとの間で自己定義コマンドと自己定義応答メッセージといった他のメッセージを結びつけることによっても獲得し得る。
【００６２】
また、本実施形態は、上記方法の手順を実施するのに使用することのできる、メディアゲートウェイに終端接続を確立するよう指示するシステムも提供する。図９は、ＭＧＣとＭＧとを含むシステムの詳細な構造図である。
【００６３】
このシステムにおいて、ＭＧＣは、呼接続が確立され、ＭＧが終端を接続するよう指示されるときに、ＭＧに終端接続能力を獲得するためのコマンドを送信し、ＭＧから返される様々なタイプの終端についてのＭＧの接続能力に関する情報にしたがって、ＭＧに接続能力のある終端に関する情報を接続指示に入れてＭＧに送信するように適合されている。
【００６４】
ＭＧは、ＭＧＣによって送られる終端接続能力を求める要求を受信し、終端接続構成に関する情報を搬送する終端接続能力応答を生成するように適合されている。ＭＧはさらにＭＧＣから送られる接続指示を受信するように適合されている。
【００６５】
上記システムにおいて、ＭＧＣとＭＧとは、それぞれ、図１０と図１１とに示す具体的構造を用いることができる。上記２図におけるＭＧＣとＭＧとは、それぞれ、本発明の実施形態において設けられるＭＧＣとＭＧとの具体的な実現形態である。
【００６６】
図１０に示すように、ＭＧＣは、終端接続能力獲得ユニットと終端接続決定ユニットとを含み、終端接続能力獲得ユニットは、終端接続能力要求送信サブユニットと終端接続能力応答受信サブユニットとを含む。
【００６７】
終端接続能力要求送信サブユニットは、ＭＧに終端接続能力を獲得するためのコマンドを送信するように適合されている。終端接続能力応答受信サブユニットは、ＭＧによって返される様々なタイプの終端についてのＭＧの接続能力に関する情報を受信するように適合されている。
【００６８】
終端接続決定ユニットは、呼接続が要求され、ＭＧが終端を接続するよう指示されるときに、様々なタイプの終端についてのＭＧの接続能力に関する情報にしたがって、ＭＧに接続能力のある終端に関する情報を接続指示に入れて、ＭＧに送信するように適合されている。
【００６９】
好ましくは、本実施形態のＭＧＣはさらに格納ユニットを含んでいてもよく、終端接続能力獲得ユニットは、ＭＧによって返される様々なタイプの終端についてのＭＧの接続能力に関する情報を格納ユニットに格納する。格納ユニットは、様々なタイプの終端についてのＭＧの接続能力に関する情報を格納し、呼接続が要求されるときに、この情報を終端接続決定ユニットに提供するように適合されている。
【００７０】
図１１に示すように、ＭＧは、終端接続能力要求受信ユニットと、終端接続能力監査ユニットと、終端接続能力応答送信ユニットと、接続指示受信ユニットとを含む。
【００７１】
終端接続能力要求受信ユニットは、ＭＧＣによって送られる終端接続能力要求を受信するように適合されている。終端接続能力監査ユニットは、終端接続能力要求にしたがって、対応する終端の接続能力を獲得し、終端接続構成に関する情報を搬送する終端接続能力応答を生成するように適合されている。終端接続能力応答送信ユニットは、メディアゲートウェイコントローラに、終端接続能力監査ユニットによって生成される終端接続能力応答を返すように適合されている。接続指示受信ユニットは、ＭＧＣによって送られる接続指示を受信するように適合されている。
【００７２】
第１と第２の実施形態において、ＭＧＣによって獲得される終端接続構成に関する情報は、終端タイプＡ、終端タイプＢおよび終端タイプＡと終端タイプＢの間の方向を含む三つ組の形で表わされる。
【００７３】
しかし、上記と同様のトポロジの三つ組の形は１対の終端間の接続構成モードを記述するにすぎない。記述されるべき終端の数が増大するとき、例えば、複数の当事者、特に多数の終端が関与するコンファレンス（会議）や、マルチキャストなどの呼セッションシナリオでは、対応する終端対の数がほとんど幾何指数的に増大し、最終的には膨大な数のこのような記述をもたらし、送信および処理の負担になる。例えば、１０個の終端では、４５対の双方向または９０対の１方向接続構成モードがこのように記述される必要がある。
【００７４】
好ましくは、複数の当事者が関与するコンファレンスまたはマルチキャストなどの呼セッションシナリオでは、ＭＧは、呼セッションシナリオにおいて許容される様々なタイプの終端の最大数を用いて様々なタイプの終端に関するＭＧの接続構成情報を記述することができ、この場合、ＭＧＣは、この接続構成情報にしたがって、終端構成を実行する。終端タイプの最大数を用いて終端接続構成に関する情報を記述し、ＭＧのためのＭＧＣの妥当な構成をサポートする実現方法について、以下で第３の実施形態を参照して説明する。
【００７５】
実施形態３
この実施形態では、終端タイプの最大数を持つ終端接続構成に関する情報を記述する実現形態を、ＭＧＣがＭＧに終端接続構成に関する情報の獲得を要求する例を用いて説明する。当然ながら、前述の第１の実施形態から分かるように、ＭＧＣにおいて事前にＭＧの終端接続構成に関する情報を構成する場合には、やはり本実施形態で説明する接続構成に関する情報を記述するモードが適用できる。
【００７６】
本実施形態では、ＭＧＣがＭＧに様々なタイプの終端についてのＭＧの接続能力の獲得を要求するときに、様々な呼セッションシナリオにしたがって、記述子リストに対応する記述子識別子が要求コマンドに加えられてもよく、代替として、記述子識別子が明確に指定されなくてもよい。様々なタイプの終端についての接続能力を求めるＭＧＣの要求に応答する場合、ＭＧは、受信された記述子識別子にしたがって、または明確に指定された記述子識別子がないときにはＭＧ自体の実際の能力にしたがって、ジェネラル（一般の）シナリオのためのトポロジカル記述子（topological descriptor）と同様の「終端タイプＡ，終端タイプＢ，終端タイプＡと終端タイプＢの間の方向」という三つ組リストおよび／またはコンファレンス（会議）シナリオのためのコンファレンス記述子と同様の「終端タイプ，この終端タイプの数」という二つ組リストおよび／またはマルチキャストシナリオのためのマルチキャスト記述子と同様の「終端タイプＡ，終端タイプＢ，終端タイプＡから終端タイプＢまでの数」という三つ組リストの組み合わせを使用することができる。
【００７７】
トポロジカル記述子と同様の「終端タイプＡ，終端タイプＢ，終端タイプＡと終端タイプＢの間の方向」という三つ組リストに対応する記述子識別子はＴｏｐｏｌｏｇｙまたは略してＴＰとすることができる。コンファレンス記述子と同様の「終端タイプ，この終端タイプの数」という二つ組リストに対応する記述子識別子はＣｏｎｆｅｒｅｎｃｅまたは略してＣＮＦとすることができる。マルチキャスト記述子と同様の「発信元終端タイプ，宛先終端タイプ，宛先終端タイプの最大数」という三つ組リストに対応する記述子識別子はＭｕｌｔｉｃａｓｔまたは略してＭＬＴとすることができる。
【００７８】
本実施形態の終端構成システムにおけるＭＧは、ＭＧＣの要求にしたがって、上記のコンファレンス記述子および／またはマルチキャスト記述子および／またはトポロジカル記述子の形で、複数の当事者が関与する呼セッションシナリオにおいて許容される対応終端タイプの最大数をＭＧＣに送信することができる。
【００７９】
図１２は、本実施形態での終端接続方法を実行するようＭＧに指示するための流れ図である。図１２に示すように、この実現形態における終端構成方法は以下の各ステップを含む。
【００８０】
ステップ１２０１：ＭＧＣが、ＭＧによってサポートされ、かつ／またはサポートされない様々なタイプの終端についての接続能力を表す識別子を含む監査能力要求コマンドを送信し、様々なタイプの終端についてのＭＧの接続能力の獲得を要求する。
【００８１】
このステップでは、現在構成される必要のある呼接続に対応する呼セッションシナリオがコンファレンスシナリオである場合、記述子識別子はＣｏｎｆｅｒｅｎｃｅまたはＣＮＦである。現在構成される必要のある呼接続に対応する呼セッションシナリオがマルチキャストシナリオである場合、記述子識別子はＭｕｌｔｉｃａｓｔまたはＭＬＴである。他の場合、記述子識別子はＴｏｐｏｌｏｇｙまたはＴＰである。
【００８２】
ＭＧＣによって確立される必要のある呼接続に複数の呼セッションシナリオが対応する場合、要求コマンドは１つまたは複数の対応する記述子識別子を含む。
【００８３】
ステップ１２０２：ＭＧが、ＭＧＣから、ＭＧによってサポートされ、かつ／またはサポートされない様々なタイプの終端についての接続能力を表す識別子を含む監査能力要求コマンドを受信した後、ＭＧは、受信された要求コマンド内の記述子識別子を判定することができる。記述子識別子がＣｏｎｆｅｒｅｎｃｅまたはＣＮＦである場合、ステップ１２０３が実行される。記述子識別子がＭｕｌｔｉｃａｓｔまたはＭＬＴである場合、ステップ１２０４が実行される。記述子識別子がＴｏｐｏｌｏｇｙまたはＴＰである場合、ステップ１２０５が実行される。
【００８４】
このステップでは、要求コマンドが３つの記述子識別子もしくはこれらのうちの任意の２つを含む場合、またはＭＧＣによって送信される要求コマンドが特定の記述子識別子を明確に指定していない場合、ステップ１２０３〜１２０５の対応するステップが同時に実行される。
【００８５】
例えば、要求コマンドがＣＮＦおよびＴＰを含む場合、ステップ１２０３およびステップ１２０５が同時に実行される。
【００８６】
別の例として、要求コマンドが識別子のうちのどの１つも含まず、ＭＧ自体がコンファレンスシナリオだけをサポートし得る場合には、ステップ１２０３が実行される。ＭＧがすべての呼接続シナリオをサポートすることができる場合には、ステップ１２０３、ステップ１２０４およびステップ１２０５が同時に実行される。
【００８７】
ステップ１２０３：ＭＧは、ＭＧＣの要求に応答してコンファレンス記述子の形で様々なタイプの終端についてのＭＧの接続能力をＭＧＣに送信し、次いで、ステップ１２０６が実行される。
【００８８】
このステップでは、コンファレンスシナリオのためのコンファレンス記述子は１つまたは複数の「終端タイプ，この終端タイプの数」の二つ組からなるリストとすることもできる。
【００８９】
例えば、「＊，２０」というただ１つの二つ組を含むコンファレンス記述子は、コンファレンスにおいて最大２０までの終端が許容されることを示し、「＊」は終端タイプが任意であることを意味する。このときのコンファレンス記述子は終端の数を定義するにすぎない。
【００９０】
別の例として、「＊，３０，ＴＤＭ／＊，１０」というワイルドカードを有する２つの二つ組を含むコンファレンス記述子は、コンファレンスにおいて最大３０までの終端および１０以下ＴＤＭ終端が許容されることを示し、「＊」は終端タイプが任意であることを意味する。このときのコンファレンス記述子は終端の数および終端の一部のタイプを定義する。
【００９１】
別の例として、「終端タイプ１，２０」、「終端タイプ２，３０」、…、「終端タイプｎ，５」という複数の二つ組のリストを含むコンファレンス記述子は、コンファレンスにおいて最大２０までのタイプ１の終端、最大３０までのタイプ２の終端、…、および最大５までのタイプｎの終端が許容されることを示す。このときのコンファレンス記述子は終端のタイプおよび各タイプの終端の数を定義する。
【００９２】
ステップ１２０４：ＭＧは、ＭＧＣの要求に応答してマルチキャスト記述子の形で様々なタイプの終端についてのＭＧの接続能力をＭＧＣに送信し、次いでステップ１２０６が実行される。
【００９３】
このステップでは、マルチキャストシナリオのためのマルチキャスト記述子は、１つまたは複数の「発信元終端タイプ，宛先終端タイプ，宛先終端タイプの最大数」の三つ組からなるリストとすることができる。
【００９４】
例えば、「＊，＊，２０」というただ１つの三つ組を含むマルチキャスト記述子は、マルチキャストにおいて最大２０までの宛先終端が許容されることを示し、「＊」は終端タイプが任意であることを意味する。このときのマルチキャスト記述子は終端の数を定義するにすぎない。
【００９５】
別の例として、「＊，＊，３０，＊，ＴＤＭ／＊，１０」というワイルドカードを有する２つの三つ組を含むマルチキャスト記述子は、マルチキャストにおいて最大３０までの宛先終端および１０以下のＴＤＭ宛先終端が許容されることを示し、「＊」は終端タイプが任意であることを意味する。このときのマルチキャスト記述子は終端の数および終端の一部のタイプを定義する。
【００９６】
別の例として、「終端タイプ１，終端タイプ２，２０」、「終端タイプ３，終端タイプ４，３０」、…、「終端タイプｎ−１，終端タイプｎ，５」という複数の三つ組のリストを含むマルチキャスト記述子は、マルチキャストにおいてタイプ１の終端から最大２０のタイプ２の終端まで、タイプ３の終端から最大３０のタイプ４の終端まで、…、タイプｎ−１の終端から最大５のタイプｎの終端までが許容されることを示す。このときのマルチキャスト記述子は、終端のタイプおよび各タイプの終端の数を定義する。
【００９７】
ステップ１２０５：ＭＧは、ＭＧＣの要求に応答してトポロジカル記述子の形で様々なタイプの終端についてのＭＧの接続能力をＭＧＣに送信し、次いでステップ１２０６が実行される。
【００９８】
このステップでは、ジェネラルシナリオのためのトポロジカル記述子は、「終端タイプＡ，終端タイプＢ，終端タイプＡと終端タイプＢの間の方向」という三つ組とすることができ、いわゆるジェネラルシナリオとは二点間通信シナリオである。
【００９９】
ステップ１２０６：ＭＧＣは、ＭＧから応答を受信し、監査結果にしたがって、終端を構成し、終端構成結果をＭＧに送信する。
【０１００】
ステップ１２０１で、ＭＧＣによって送信される要求コマンドが複数の記述子識別子を含み、またはＭＧＣによって送信される要求コマンドが特定の記述子識別子を明確に定義していない場合、このステップで、受信された応答コマンドは複数の対応する記述子を含む。
【０１０１】
ステップ１２０７：ＭＧは、呼サービスを搬送するために、受信された終端構成指示にしたがってコンテキスト内の終端を接続する。
【０１０２】
ここまでで手順は終了する。
【０１０３】
上記手順はＭＧＣと１つのＭＧとの対話プロセスである。また、上記手順はコンファレンスやマルチキャスト以外の複数の当事者が関与する他の呼セッションシナリオに対応する終端構成にも適用することができる。
【０１０４】
図１２に示す上記の方法手順は、それぞれ、図９、図１０および図１１に示すシステム、ＭＧＣおよびＭＧにおいて実施されてもよい。
【０１０５】
上記３つの実施形態において、終端接続構成に関する情報を記述するときに、終端タイプおよびサブタイプに関する記述がワイルドカードを使用しており、同じタイプおよびサブタイプだが異なる接続関係を有する終端が１つのコンテキストに含まれる場合、接続構成に関する情報を獲得しているＭＧＣは異なる終端を区別することができず、したがって各終端に特有の能力に関する情報を得ることができない。例えば、あるコンテキスト内で３つのＲＴＰタイプの終端（それぞれ、終端１、終端２および終端３）が許容されており、終端１と終端２は双方向で接続されてもよく、終端３は終端２からの一方向だけで受信することができ、終端３と終端１の間には接続がないものとする。２つの終端間の関係に関して、終端１と終端２の間の接続構成は「ＲＴＰ／＊，ＲＴＰ／＊，両方向」と記述され、終端２と終端３の間の接続構成は「ＲＴＰ／＊，ＲＴＰ／＊５，一方向」と記述され、終端１と終端３の間の接続構成は「ＲＴＰ／＊，ＲＴＰ／＊，隔離」と記述され得る。しかし、これら３つのグループがこのコンテキスト内の終端接続構成を記述するためにまとめられるときには、個々の終端が区別されずＲＴＰ／＊として一般化されているために矛盾と混乱が生じる。したがって、ＭＧはＭＧＣに終端接続構成を正しくフィードバックすることができず、ＭＧＣは終端接続能力を適正にチェックすることができず、よって、終端接続構成にしたがって終端接続を適正に指示することができない。
【０１０６】
これを考慮して、本発明の実施形態における終端接続構成に関する情報は、さらに、様々な終端を区別するためのインスタンス識別子を含む。よって、たとえ終端接続構成に関する獲得情報が、１つのコンテキスト内に同じタイプまたはサブタイプの複数の終端が含まれる場合を伴っていたとしても、ＭＧＣは、様々な終端についての接続能力に関する情報を得ることができる。終端接続構成に関する情報がインスタンス識別子を含むときの本発明の一実施形態の実現方法を、以下で第４の実施形態を参照して説明する。
【０１０７】
実施形態４
図１３は、本発明の第４の実施形態による、ＭＧに終端接続を実行するよう指示する方法の詳細な流れ図である。図１３に示すようにこの方法は以下の各ステップを含む。
【０１０８】
ステップ１３０１：ＭＧＣは、ＭＧに終端接続能力監査要求を送信する。
【０１０９】
ステップ１３０２：ＭＧは、ＭＧＣに様々な終端インスタンスを区別するためのインスタンス識別子を含む終端接続構成記述を含む終端接続能力監査応答を返す。
【０１１０】
上記手順において、この方法はさらに、ＭＧＣがインスタンス識別子にしたがって、終端接続能力監査応答からの様々な終端インスタンスに対応する終端接続構成記述を解決することと、終端接続構成記述にしたがってＭＧに終端接続指示を送信することと、ＭＧが終端接続指示にしたがってコンテキスト内の終端を接続することとを含んでいてもよい。
【０１１１】
本実施形態では、終端接続構成に関する情報にインスタンス識別子（インスタンスＩＤ）を付加することにより様々な終端インスタンスが区別される。
【０１１２】
任意選択のパラメータとしてのインスタンス識別子は三つ組内の終端タイプと関連付けられる。終端タイプＸのインスタンスＹは、好ましくは、「終端タイプＸ［インスタンス識別子Ｙ］」の形で表わされる。インスタンス識別子は好ましくは値を有する整数型である。
【０１１３】
具体的には、（１）ジェネラルシナリオの「終端タイプＡ，終端タイプＢ，終端タイプＡと終端タイプＢの間の方向」の三つ組の形では、終端接続構成記述は、第１の終端タイプ、第１の終端インスタンス識別子、第２の終端タイプ、第２の終端インスタンス識別子、第１の終端タイプと第２の終端タイプとの間の接続方法、および第１の終端タイプのインスタンスから第２の終端タイプのインスタンスまでの接続を指示する接続方向を含む。第１の終端タイプと第２の終端タイプは異なっていても同じでもよい。終端タイプにはＴＤＭチャネルなどの物理的終端だけでなくＲＴＰストリームなどの一時的終端も含まれ得る。
【０１１４】
（２）コンファレンスシナリオの「終端タイプ，最大数」の二つ組の形では、終端接続構成記述は、終端タイプ、終端インスタンス識別子、およびこの終端タイプのインスタンスが１ずつの増分の番号付け規則を用いてこの終端インスタンス識別子から番号付されるときに許容される最大数を示す最大数を含む。
【０１１５】
（３）マルチキャストシナリオの「発信元終端タイプ，宛先終端タイプ，宛先終端タイプの最大数」の三つ組の形では、終端接続構成記述は、発信元終端タイプ、発信元終端インスタンス識別子、宛先終端タイプ、宛先終端インスタンス識別子、および、宛先終端タイプのインスタンスが、１ずつの増分の番号付け規則を用いてこの宛先終端インスタンス識別子から番号付けされるときに許容される、発信元終端タイプからインスタンスマルチキャストを受信することのできる宛先終端タイプのインスタンスの最大数を示す宛先終端タイプの最大数を含む。
【０１１６】
例えば、あるコンテキストには、ＲＴＰタイプの３つの終端（それぞれ終端１、終端２、終端３）を含むことが許され、終端１と終端２は双方向で接続されてもよく、終端３は終端２から一方向だけで受信することができ、終端３と終端１の間には接続がないものとする。本発明のこの実施形態では、終端１、終端２および終端３は、ＲＴＰタイプの終端インスタンス１、インスタンス２およびインスタンス３として使用されてもよい。この場合、終端１と終端２の間の接続構成は「ＴＰ｛ＲＴＰ／＊［１］，ＲＴＰ／＊［２］，両方向｝」と記述されてもよく、終端２と終端３の間の接続構成は「ＴＰ｛ＲＴＰ／＊［２］，ＲＴＰ／＊［３］，一方向｝」と記述されてもよく、終端１と終端３の間の接続構成は「ＴＰ｛ＲＴＰ／＊［１］，ＲＴＰ／＊［３］，隔離｝」と記述されてもよく、「ＴＰ」はトポロジカル識別子である。
【０１１７】
上記例のあるコンテキストに含めることが許容される３つの終端がさらに任意のタイプのものである場合、終端１と終端２の間の接続構成は「ＴＰ｛＊［１］，＊［２］，両方向｝」と記述されてもよく、終端２と終端３の間の接続構成は「ＴＰ｛＊［２］，＊［３］，一方向｝」と記述されてもよく、終端１と終端３の間の接続構成は「ＴＰ｛＊［１］，＊［３］，隔離｝」と記述されてもよい。
【０１１８】
例えば、あるコンテキストには、５つのＲＴＰタイプの終端（それぞれ終端１、終端２、終端３、終端４、終端５）を含むことが許され、終端１、終端２および終端３はコンファレンスモードで接続され、終端３は終端４と終端５にマルチキャストしてもよいものとする。本発明の一実施形態では、終端１、終端２、終端３、終端４および終端５が、ＲＴＰタイプの終端インスタンス１、インスタンス２、インスタンス３、インスタンス４およびインスタンス５として使用され得る。この場合、終端１、終端２および終端３の間の接続構成は「ＣＮＦ｛ＲＴＰ／＊［１］，３｝」と記述されてもよく、終端３、終端４および終端５の間の接続構成は、「ＭＬＴ｛ＲＴＰ／＊［３］，ＲＴＰ／＊［４］，２」と記述されてもよく、「ＣＮＦ」はコンファレンス識別子であり、「ＭＬＴ」はマルチキャスト識別子である。
【０１１９】
理解されるように、終端はインスタンス識別子を付加することによって区別される。したがって、終端タイプおよびサブタイプの記述にワイルドカードが使用される場合でさえも、１つのコンテキストが、同じタイプおよびサブタイプだが異なる接続関係を有する終端を含むことができ、これによる矛盾と混乱は生じない。したがって、ＭＧはＭＧＣに正しく終端接続構成をフィードバックすることができ、ＭＧＣは終端接続構成に関する情報に従って適正に終端接続を指示することができる。
【０１２０】
また、本実施形態は、ＭＧに終端接続を確立するよう指示するシステムも提供し、このシステムは、図１３に示す上記方法手順を実施するのに使用することができる。このシステムは、図９に示す具体的構造を用いてもよい。
【０１２１】
ＭＧＣは、ＭＧに終端接続能力の獲得を求める要求を送信し、返される終端接続能力応答からの異なる終端インスタンスに対応する終端接続構成に関する情報を解決し、終端接続構成に関する情報にしたがってＭＧに終端接続指示を送信するように適合されている。
【０１２２】
ＭＧは、ＭＧＣに、様々な終端インスタンスを区別するためのインスタンス識別子を含む終端接続構成に関する情報を搬送する終端接続能力応答を返すように適合されている。
【０１２３】
同様に、このシステムでは、ジェネラルシナリオでの「終端タイプＡ，終端タイプＢ，終端タイプＡと終端タイプＢの間の方向」の三つ組の形および／またはコンファレンスシナリオでの「終端タイプ，最大数」の二つ組の形および／またはマルチキャストシナリオでの「発信元終端タイプ，宛先終端タイプ，宛先終端タイプの最大数」の三つ組の形の終端接続構成記述に終端インスタンス識別子を付加することによって、様々な終端インスタンスが区別される。任意選択のパラメータとしてのインスタンス識別子は、三つ組内の終端タイプと関連付けられる。終端タイプＸのインスタンスＹは、好ましくは、「終端タイプＸ［インスタンス識別子Ｙ］」の形で表わされる。
【０１２４】
ＭＧはさらに、終端接続指示にしたがってコンテキスト内の終端を接続するように適合されている。
【０１２５】
図１４は、本実施形態で設けられるＭＧＣの具体的構造図であり、このＭＧＣは本実施形態のシステムにおいて適用することができる。この場合のＭＧＣとＭＧは双方向で対話する。図１４に示すように、ＭＧＣは、終端接続能力獲得ユニットと、終端接続構成情報解決ユニットと、終端接続決定ユニットとを含み、終端接続能力獲得ユニットは、終端接続能力要求送信サブユニットと終端接続能力応答受信サブユニットとを含む。
【０１２６】
ＭＧＣにおいて、終端接続能力要求送信サブユニットは、ＭＧに終端接続能力監査要求を送信するように適合されている。終端接続能力応答受信サブユニットは、ＭＧから返される様々なタイプの終端についてのＭＧの接続能力に関する情報を受信するように適合されており、この情報は、様々な終端接続構成インスタンスを区別するためのインスタンス識別子を含む。
【０１２７】
終端接続構成情報解決ユニットは、インスタンス識別子にしたがって終端接続能力情報からの異なる終端インスタンスに対応する終端接続能力を解決するように適合されている。
【０１２８】
終端接続決定ユニットは、呼接続が要求され、ＭＧが終端接続を確立するよう指示されるときに、終端接続構成情報解決ユニットによって解決された終端接続構成記述にしたがってＭＧに接続指示を送信するように適合されている。
【０１２９】
好ましくは、本実施形態のＭＧＣは、さらに格納ユニットを含み、終端接続能力獲得ユニットは、ＭＧによって返される様々なタイプの終端についてのＭＧの接続能力に関する情報を格納ユニットに格納する。格納ユニットは、様々なタイプの終端についてのＭＧの接続能力に関する情報を格納し、呼接続が要求されるときにこの情報を終端接続構成情報解決ユニットに提供するように適合されている。
【０１３０】
図１５は本実施形態で設けられるＭＧの具体的構造図である。図１５に示すように、ＭＧは終端接続能力要求受信ユニットと、終端接続能力応答送信ユニットと、終端接続能力監査ユニットと、終端接続実施ユニットとを含む。
【０１３１】
終端接続能力要求受信ユニットは、ＭＧＣから送られる終端接続能力要求を受信し、この終端接続能力要求を終端接続能力監査ユニットに転送するように適合されている。
【０１３２】
終端接続能力監査ユニットは、ＭＧＣから送られる終端接続能力要求にしたがって、対応する終端の接続能力を獲得し、様々な終端インスタンスを区別するためのインスタンス識別子を含む終端接続構成に関する情報を搬送する終端接続能力応答を生成するように適合されている。
【０１３３】
また、好ましくは様々な終端インスタンスは、ジェネラルシナリオでの「終端タイプＡ，終端タイプＢ，終端タイプＡと終端タイプＢの間の方向」の三つ組の形および／またはコンファレンスシナリオでの「終端タイプ，最大数」の二つ組の形および／またはマルチキャストシナリオでの「発信元終端タイプ，宛先終端タイプ，宛先終端タイプの最大数」の三つ組の形の終端接続構成記述に終端インスタンス識別子を付加することによって区別される。任意選択のパラメータとしてのインスタンス識別子は三つ組内の終端タイプと関連付けられる。終端タイプＸのインスタンスＹは、好ましくは、「終端タイプＸ［インスタンス識別子Ｙ］」の形式で表わされる。
【０１３４】
終端接続能力応答送信ユニットは、終端接続能力監査ユニットによって生成される終端接続能力監査応答をＭＧＣに返すように適合されている。
【０１３５】
ＭＧは、さらに、メディアゲートウェイコントローラから返される終端接続指示にしたがって、コンテキスト内の終端を接続するように適合されている終端接続実施ユニットを含んでいてもよく、ＭＧＣは、インスタンス識別子にしたがって、終端接続能力応答からの異なる終端インスタンスに対応する終端接続構成に関する情報を解決し、終端接続構成に関する情報にしたがって、ＭＧに終端接続コマンドを送信する。
【０１３６】
また、図１４および図１５の終端接続構成に関する情報は、好ましくは、第１の終端タイプ、第１の終端インスタンス識別子、第２の終端タイプ、第２の終端インスタンス識別子、および第１の終端タイプと第２の終端タイプとの間の接続方向を含む。
【０１３７】
要約すると、終端接続構成においてインスタンス識別子を拡張すれば、１つのコンテキストが同じタイプおよびサブタイプの複数の終端を含む場合に、ＭＧＣがＭＧにそれによって構成される様々なタイプの終端についての接続能力をチェックするよう要求するときに、ＭＧはインスタンス識別子を付加することにより、対応する監査応答で終端接続構成をフィードバックすることができる。
【０１３８】
要するに、上記説明は本発明の好ましい実施形態にすぎず、本発明の範囲を限定するためのものではない。本発明の精神および原理の内での任意の改変、等価な置換および改善は本発明の範囲内に含まれるべきである。
【図１】
2009542133.tif 000003
【図２】
2009542133.tif 000004
【図３】
2009542133.tif 000005
【図４】
2009542133.tif 000006
【図５】
2009542133.tif 000007
【図６】
2009542133.tif 000008
【図７】
2009542133.tif 000009
【図８】
2009542133.tif 000010
【図９】
2009542133.tif 000011
【図１０】
2009542133.tif 000012
【図１１】
2009542133.tif 000013
【図１２】
2009542133.tif 000014
【図１３】
2009542133.tif 000015
【図１４】
2009542133.tif 000016
【図１５】
2009542133.tif 000017
【手続補正書】
【提出日】平成21年3月24日(2009.3.24)
【手続補正１】
【補正対象書類名】特許請求の範囲
【補正対象項目名】全文
【補正方法】変更
【補正の内容】
【特許請求の範囲】
【請求項１】
メディアゲートウェイ（ＭＧ）に終端接続を実行するよう指示する方法であって、
メディアゲートウェイコントローラ（ＭＧＣ）が様々なタイプの終端についての前記ＭＧの接続能力に関する情報を獲得することと、
前記ＭＧが前記ＭＧＣにより終端接続を実行するよう指示されるときに、様々なタイプの終端についての前記ＭＧの接続能力に関する前記情報にしたがって、前記ＭＧＣから前記ＭＧに接続指示を送信することと、
を備える方法。
【請求項２】
前記ＭＧＣが様々なタイプの終端についての前記ＭＧの接続能力に関する前記情報を獲得することは、前記ＭＧＣにおいて事前に様々なタイプの終端についての前記ＭＧの接続能力に関する前記情報を設定することと、前記ＭＧＣ自体において設定されている様々なタイプの終端についての前記ＭＧの接続能力に関する前記情報を前記ＭＧＣによって獲得することと、を備える請求項１に記載の方法。
【請求項３】
前記ＭＧにおいて様々なタイプの終端についての前記ＭＧの接続能力に関する前記情報を設定することをさらに備え、
前記ＭＧＣが様々なタイプの終端についての前記ＭＧの接続能力に関する前記情報を獲得することは、前記ＭＧＣから前記ＭＧに、様々なタイプの終端についての前記ＭＧの接続能力に関する前記情報を獲得するコマンドを送信することと、前記ＭＧから前記ＭＧＣに様々なタイプの終端についての接続能力に関する前記設定情報を送信することと、前記設定情報を前記ＭＧＣに格納することと、を備える請求項１に記載の方法。
【請求項４】
終端接続能力を獲得するための前記コマンドは監査コマンドであり、
前記ＭＧから前記ＭＧＣに様々なタイプの終端についての接続能力に関する前記設定情報を送信する前記ステップは、前記監査コマンドに対する応答によって、前記ＭＧから前記ＭＧＣに、様々なタイプの終端についての接続能力に関する前記情報を送信することを備える請求項３に記載の方法。
【請求項５】
様々なタイプの終端についての前記ＭＧの接続能力に関する前記情報は、前記ＭＧによってサポートされる終端接続構成に関する情報と前記ＭＧによってサポートされない終端接続構成に関する情報のうちの少なくとも１つを備える請求項１から４のいずれか１項に記載の方法。
【請求項６】
前記終端接続構成に関する情報は、
任意の２つの終端タイプおよび前記２つの終端タイプの終端間の接続方向と、
複数の当事者が関与する呼セッションシナリオにおける任意の終端タイプおよび前記終端タイプの終端の最大数
のうちの少なくとも１つを備える請求項５に記載の方法。
【請求項７】
前記終端タイプは、様々なリソースタイプを表す様々な終端タイプおよび／またはあるリソースタイプにおける様々な特定のリソースに対応する様々な終端タイプを備える、請求項６に記載の方法。
【請求項８】
前記終端タイプは前記ＭＧＣと前記ＭＧの間で事前に規定されている、請求項６に記載の方法。
【請求項９】
前記終端接続構成に関する情報は、
コンファレンスシナリオでの終端タイプおよび前記終端タイプの数と、
マルチキャストシナリオでの発信元終端タイプ、宛先終端タイプ、および前記宛先終端タイプの終端の最大数と、
ジェネラルシナリオでの第１の終端タイプ、第２の終端タイプ、および前記第１の終端タイプと前記第２の終端タイプの間の接続方向、
という３つの表現形式のうちの少なくとも１つを備える、請求項６に記載の方法。
【請求項１０】
前記終端接続構成に関する情報は、異なる終端インスタンスを区別するためのインスタンス識別子をさらに備える請求項６に記載の方法。
【請求項１１】
前記終端接続構成に関する情報は、
ジェネラルシナリオでの第１の終端タイプ、第１の終端インスタンス識別子、第２の終端タイプ、第２の終端インスタンス識別子、および前記第１の終端タイプと前記第２の終端タイプの間の接続方向と、
マルチキャストシナリオでの終端タイプ、終端インスタンス識別子、および前記終端タイプの終端の最大数と、
コンファレンスシナリオでの発信元終端タイプ、発信元終端インスタンス識別子、宛先終端タイプ、宛先終端インスタンス識別子、および前記宛先終端タイプの最大数、
という３つの表現形式のうちの少なくとも１つを備える、請求項１０に記載の方法。
【請求項１２】
メディアゲートウェイコントローラ（ＭＧＣ）と、メディアゲートウェイ（ＭＧ）とを備える、メディアゲートウェイに終端接続を実行するよう指示するシステムであって、
前記ＭＧＣは、様々なタイプの終端についての前記ＭＧの接続能力に関する情報を獲得し、前記ＭＧが前記ＭＧＣにより終端接続を実行するよう指示されるときに、様々なタイプの終端についての前記ＭＧの接続能力に関する前記情報にしたがって前記ＭＧに接続指示を送信するように適合されており、
前記ＭＧは、前記ＭＧＣから送信される前記接続指示を受信するように適合されている、システム。
【請求項１３】
前記ＭＧＣはさらに様々なタイプの終端についての前記ＭＧの接続能力に関する前記情報を格納するように適合されている、請求項１２に記載のシステム。
【請求項１４】
前記ＭＧＣはさらに前記ＭＧに終端接続能力を獲得するコマンドを送信するように適合されており、
前記ＭＧはさらに前記ＭＧＣから前記コマンドを受信し、様々なタイプの終端についての前記接続能力に関する前記格納情報を前記ＭＧＣに送信するように適合されている、請求項１２に記載のシステム。
【請求項１５】
終端接続能力獲得ユニットと終端接続決定ユニットとを備えるメディアゲートウェイコントローラ（ＭＧＣ）であって、
前記終端接続能力獲得ユニットは、様々なタイプの終端についてのメディアゲートウェイ（ＭＧ）の接続能力に関する情報を獲得し、前記情報を前記終端接続決定ユニットに送信するように適合されており、
前記終端接続決定ユニットは、前記ＭＧが前記ＭＧＣにより終端接続を実行するよう指示されるときに、様々なタイプの終端についての前記ＭＧの接続能力に関する前記情報にしたがって、前記ＭＧに接続能力があるという終端接続情報を備える接続指示を、前記ＭＧに送信するように適合されている、ＭＧＣ。
【請求項１６】
前記ＭＧＣは格納ユニットを備え、
前記格納ユニットは、様々なタイプの終端についての前記ＭＧの接続能力に関する事前設定情報を格納し、前記情報を前記終端接続決定ユニットに提供するように適合されている、請求項１５に記載のＭＧＣ。
【請求項１７】
前記終端接続能力獲得ユニットは、終端接続能力要求送信サブユニットと終端接続能力応答受信サブユニットとを備え、
前記終端接続能力要求送信サブユニットは、前記ＭＧに終端接続能力を獲得するコマンドを送信するように適合されており、
前記終端接続能力応答受信サブユニットは、前記ＭＧによって返される様々なタイプの終端についての前記ＭＧの接続能力に関する前記情報を受信するように適合されている、請求項１５に記載のＭＧＣ。
【請求項１８】
格納ユニットをさらに備え、前記格納ユニットは、前記終端接続能力獲得ユニットによって受信される様々なタイプの終端についての前記ＭＧの接続能力に関する前記情報を格納し、前記情報を前記終端接続決定ユニットに提供するように適合されている、請求項１７に記載のＭＧＣ。
【請求項１９】
前記終端接続能力に関する前記情報は、様々な終端インスタンスを区別するためのインスタンス識別子をさらに備え、
前記ＭＧＣは、終端接続構成情報解決ユニットをさらに備え、
前記終端接続構成情報解決ユニットは、前記インスタンス識別子にしたがって、様々なタイプの終端についての前記ＭＧの接続能力に関する前記情報からの様々な終端インスタンスに対応する終端接続構成に関する情報を解決し、終端接続構成に関する前記情報を前記終端接続決定ユニットに送信するように適合されている、請求項１６、１７または１８のいずれか１項に記載のＭＧＣ。
【請求項２０】
終端接続能力要求受信ユニットと、終端接続能力監査ユニットと、終端接続能力応答送信ユニットとを備えるメディアゲートウェイ（ＭＧ）であって、
前記終端接続能力要求受信ユニットは、メディアゲートウェイコントローラ（ＭＧＣ）によって送られる終端接続能力要求を受信するように適合されており、
前記終端接続能力監査ユニットは、前記終端接続能力要求にしたがって、対応する終端の接続能力を獲得し、終端接続構成に関する情報を搬送する終端接続能力応答を生成するように適合されており、
前記終端接続能力応答送信ユニットは、前記ＭＧＣに前記終端接続能力監査ユニットによって生成される前記終端接続能力応答を返すように適合されている、ＭＧ。
【請求項２１】
コンピュータユニットによって実行された場合に、請求項１から請求項１１のいずれか１項に記載のすべてのステップを前記コンピュータユニットに実行させるコンピュータプログラムコードを備えたコンピュータプログラムプロダクト。
【国際調査報告】
2009542133.tif 000018
2009542133.tif 000019
2009542133.tif 000020
2009542133.tif 000021